(57)【要約】【課題】  製造コスト上の不利な点を解消し、省エネ向上、外観意匠の向上を図った冷蔵庫を提供する。【解決手段】  貯蔵室２４、２５の前面を左右２室に区画する縦梁仕切部５０と、この縦梁仕切部５０の後方に左右仕切体４０を位置させ、左右仕切体４０には貯蔵室２４、２５内に収納される引出容器を引き出すためのローラーが摺動するレール取付部６０が設けられ、このレール取付部６０の上方は開口されるように構成した（符号４２）。【選択図】  図１
2006183899.tif 000002
【特許請求の範囲】
【請求項１】
貯蔵室の前面を左右２室に区画する縦梁仕切と、前記縦梁仕切の後方に位置した左右仕切体とを有し、
前記左右仕切体は前記冷蔵庫内に収納される引出容器を引き出すためのローラーが摺動するレール取付部を有し、前記レール取付部の上方は開口されている冷蔵庫。
【請求項２】
前記縦梁仕切部の後方の前記レール取付部と縦梁仕切部との間に補強リブを備えた請求項１に記載の冷蔵庫。
【請求項３】
前記レール取付部を、下方に開口を有する略逆Ｕ字状断面とし、その左右側面に前記レール部を備えた請求項１に記載の冷蔵庫。
【請求項４】
前記レール取付部の後端が取り付けられる後端取付部が前記貯蔵室の背面板に設けられ、前記後端取付部の上縁部を下端部よりも庫内側に延伸させた請求項１に記載の冷蔵庫。
【請求項５】
鉄板よりなる扉パッキン受面を有し、この鉄板の裏面側に温熱パイプが収納される縦梁仕切部を備えた冷蔵庫において、前記縦梁仕切部は庫内側に継ぎ目がなく前面側に開口した一体容器形状の収納部を備え、この収納部内に前記温熱パイプを前記鉄板に押し付ける押付部材と、前記押付部材の後方側に位置する断熱材とを有する冷蔵庫。
【発明の詳細な説明】
【技術分野】
【０００１】
本発明は、左右２室に区画された貯蔵室を有する冷蔵庫に関する。
【背景技術】
【０００２】
左右２室に区画された貯蔵室を有する構成が特許文献１に記載されている。この特許文献１の冷蔵庫は、貯蔵室を左右２室に区画する左右仕切体を設けており、貯蔵室を構成する上部の断熱仕切体の下部に凹部を設け、下部の断熱仕切体に凹部に対応した凸部を形成している。左右仕切体は、断熱部材と樹脂製の側板で構成し、上部を断熱仕切体の凹部に嵌め込み、下部を断熱仕切体の凸部に嵌め合わせるようにしており、左右仕切体の下部には前記凸部に嵌め合わせられるように切欠部を備えている。
【０００３】
【特許文献１】特開2003-106759号公報
【発明の開示】
【発明が解決しようとする課題】
【０００４】
以下、図面を用いて従来の構成による問題点について説明する。図５は、左右２室に区画された貯蔵室を有する従来の冷蔵庫の正面図である。図５に示すように、冷蔵庫１はその開口前面の上部に、冷蔵室扉１ａ、野菜室扉１ｂを有し、その下部に冷凍室の扉１ｃを有している。野菜室扉１ｂと冷凍室の扉１ｃとの間には、いずれも冷凍温度体に冷却される冷凍室の扉３と製氷室の扉４とが左右に設置されている。この左右に設置された貯蔵室である冷凍室と製氷室との間には、これら各室を左右に区画する左右仕切体６が設けられ、この左右仕切体６は図６に示すように構成されている。
【０００５】
図６は冷蔵庫に取り付けられた左右仕切体６の要部の断面図である。図６（ａ）と図６（ｂ）はそれぞれ異なる断面図であり、図６（ｂ）は図５のＡ−Ａ断面図であるとともに図６（ａ）のＢ−Ｂ断面図であり、図６（ａ）は図６（ｂ）のＣ−Ｃ断面図である。
【０００６】
左右仕切体６の仕切本体８は、引出し容器４ａ側のローラー４ｃを摺動させる上レール８ａ１、下レール８ａ２を有する樹脂製の箱状左側板８ａと、引出し容器３ａ側のローラー３ｃを摺動させる上レール８ｂ１、下レール８ｂ２を有する樹脂製の箱状右側板８ｂと、左側板８ａと右側板８ｂとで形成する空間に充填された補強用の芯材８ｃとにより構成されている。
【０００７】
左右仕切体６には、これら左右の貯蔵室に配置される収納容器を支えるためのレールが取り付けられることから、補強用に芯材８ｃが必要とされ、この芯材８ｃは、左右の貯蔵室の温度帯の異なる場合には、断熱材を使用することによって、左右仕切体６自体が断熱仕切としての機能を有する構成としている。
【０００８】
仕切本体８の前部には前面側に開口した凹部７が設けられており、この凹部７には扉パッキン３ｅ、４ｅとの当接面となる鉄板７ａが設けられ、この鉄板７ａによって凹部７の前面が覆われている。凹部７内において、鉄板７ａの裏面側には露付防止を行うための温熱パイプ７ｂが収納されて、この温熱パイプ７ｂの温熱が鉄板７ａを効率よく加熱できるように、温熱パイプ７ｂの裏面側にアルミニウム等の金属箔７ｃを備えている。この金属箔７ｃの裏面側には、金属箔７ｃを介して温熱パイプ７ｂを鉄板７ａに押し付ける押付部材７ｄを設置し、温熱パイプ７ｂ及び金属箔７ｃを鉄板７ａ裏面に押し付けるように構成していた。
【０００９】
さらに詳述すると、前面側の凹部７は右側板８ｂと一体に形成されていて、この右側板８ｂと左側板８ａとで補強用の芯材８ｃを左右から挟むことによって左右仕切体６は形成される。左右の側板の組合せ部は、その上面側では幅方向の中央部に前方から後方へと延伸しており、また、前面側では、凹部７の裏面位置に上下に延伸している。
【００１０】
このように、仕切本体８を構成する部品として、樹脂製の左側板８ａ及び右側板８ｂと、これらの側板の補強としての芯材８ｃとの３部品より構成していたために、構成部品点数が多くなり、冷蔵庫全体としての製造コスト上、不利となっていた。
【００１１】
また、構成部品点数が多いと、部品同士の組み合わせた際に、この組合せ部に製造誤差上の隙間が発生し得ることは当業者のよく知るところである。例えば、図６（ｂ）に示した、仕切本体８の前部に設けられた凹部の奥側裏面７ｅと樹脂製の箱状左側板８ａとの間、及び、収納部の裏面７ｅと芯材８ｃとの間には、通常、製造誤差上の間隙Ｇ１が発生してしまう。したがって、間隙Ｇ１より庫内の冷気が侵入して、収納部裏面７ｅを冷却するため、この浸入した冷気熱の伝熱により温熱パイプ７ｂの温熱が低減されてしまう。このとき、扉パッキンとの吸着面である鉄板７ａが結露してしまうおそれがあった。
【００１２】
また、左側板８ａと右側板８ｂとの組合せ部に生じる製造誤差上の隙間Ｇ２からも冷気の侵入があり、上述の隙間Ｇ１と同様に収納部裏面７ｅを冷却し、この冷気熱の伝熱により温熱パイプ７ｂの温熱が低減されてしまい、鉄板７ａに結露が生ずる場合があった。
【００１３】
なお、凹部７に配される押付部材７ｄは、例えば、オレフィン樹脂等の発泡材であり、熱伝導性の低い材料を用いているが、その厚さは５ｍｍ程度であったために、上述のような冷気熱の伝熱によって、温熱パイプ７ｂの温熱が低減されてしまうおそれがあった。
【００１４】
このように隙間Ｇ１、Ｇ２が生ずることによって結露発生が引き起こされるだけではなく、このような冷気の侵入は外部からの熱侵入を意味しており、省エネ上も問題が生じていた。
【００１５】
さらには、上記のような結露の発生は、温熱パイプ７ｂ内に流入させる冷媒温度を高く保持することによって防止可能であり、例えば、温熱パイプ７ｂが接続されている冷凍サイクルを制御し、圧縮機の回転数をあまり低減させないように運転させる場合があるが、この場合は、冷蔵庫全体の省エネに反することになってしまう。
【００１６】
また、図６（ａ）に示す所定の基準高さＤ（例えば左右の貯蔵室の底面位置高さ、又は底面のない場合には貯蔵室の下側仕切の高さ）から左側板８ａの下レール８ａ２までの高さ寸法Ｈ１や、右側板８ｂの下レール８ｂ２までの高さ寸法Ｈ２に製造上の誤差が発生するおそれがあった。ここに誤差が生ずると、これらのレール上を摺動するローラー４ｃや３ｃの高さ位置が設定値に対して変化してしまい、その結果として、冷凍室の扉３と製氷室の扉４との間に上下の寸法誤差が生じてしまうことになり、冷蔵庫の外観意匠を悪くなってしまう事態を招く場合があった。
【００１７】
本発明は、このような従来の構成が有していた問題を解決しようとするものであり、製造コスト上の不利な点を解消し、省エネ向上、外観意匠の向上を図った冷蔵庫を提供することを目的としている。
【課題を解決するための手段】
【００１８】
上記目的を達成するために、本発明の冷蔵庫は、貯蔵室の前面を左右２室に区画する縦梁仕切と、前記縦梁仕切の後方に位置した左右仕切体とを有し、前記左右仕切体は前記冷蔵庫内に収納される引出容器を引き出すためのローラーが摺動するレール取付部を有し、前記レール取付部の上方は開口されていることを特徴とする。また、この構成を有するものにおいて、以下の構成とした。まず、前記縦梁仕切部の後方の前記レール取付部と縦梁仕切部との間に補強リブを備えた。または、前記レール取付部を、下方に開口を有する略逆Ｕ字状断面とし、その左右側面に前記レール部を備えた。または、前記レール取付部の後端が取り付けられる後端取付部が前記貯蔵室の背面板に設けられ、前記後端取付部の上縁部を下端部よりも庫内側に延伸させた。
【００１９】
また、上記目的を達成するために、鉄板よりなる扉パッキン受面を有し、この鉄板の裏面側に温熱パイプが収納される縦梁仕切部を備えた冷蔵庫において、本発明は、前記縦梁仕切部は庫内側に継ぎ目がなく前面側に開口した一体容器形状の収納部を備え、この収納部内に前記温熱パイプを前記鉄板に押し付ける押付部材と、前記押付部材の後方側に位置する断熱材とを有する構成とした。
【発明の効果】
【００２０】
本発明によれば、製造コスト上の不利な点を解消し、省エネ向上、外観意匠の向上を図った冷蔵庫を提供することができる。
【発明を実施するための最良の形態】
【００２１】
以下、本発明の実施の形態について、図面を用いて説明する。図１は、本発明の一実施例を示す冷蔵庫の要部の縦断面図である。本実施例の冷蔵庫２０は、上部に冷蔵室２１、野菜室２２を有し、その下部に冷凍室２９を有している。野菜室２２と冷凍室２９との間には、左右仕切体４０により左右２室に区画された貯蔵室２４、２５を有している。野菜室２２と貯蔵室２４、２５との間には断熱性を有する仕切３０を備えて区画され、貯蔵室２４、２５の背面側には背面板２８が配設されている。
【００２２】
背面板２８は、さらに後方に配設される送風機によって冷却器３１により生成された冷気を貯蔵室２４、２５へと吐出する吐出口を有している。この吐出口は、各貯蔵室の背面に備えられており、各室内がそれぞれ冷却される。また、背面板２８はファンガード機能を有し、内箱に取り付けられている。また、背面板２８には、貯蔵室内を前後に延伸したレール取付部６０の後端部６０ｂを抑える取付部２８ｂが設けられており、後述するように、この取付部２８ｂを構成する上縁部を下縁部よりも庫内側に延長させて、レール取付部６０の跳ね上がり等の位置ずれを防止している。位置ずれ防止部材２８ａは背面板２８と一体又は別体に設けられており、一体に設けられる場合には部品点数の低減につながる。また、レール取付部６０は、この取付部２８ｂに嵌め合わせられるようにして取り付けられている。
【００２３】
図において符号３２で示したのは、凝縮器３３や温熱パイプ５３（後述）に冷凍サイクル配管（図示せず）により高温冷媒を流入循環させ、庫内を冷却するための圧縮機であり、この圧縮機３２は回転数可変に制御される。
【００２４】
本実施例の左右仕切体４０は、冷蔵庫前側で左右の貯蔵室を区画する縦梁仕切部５０とこの縦梁仕切部５０から後方に延伸したレール取付部６０とが略Ｌ字状に一体に形成されている。また、レール取付部６０の上方位置には、左右の貯蔵室２４、２５間を連通する開口部４２が設けられている。このように左右２室の貯蔵室が連通する開口部４２を、貯蔵室の奥側の背面部から有することで、各貯蔵室内の収納状態によらず、これらの各室の貯蔵室温度の差を小さくでき、温度のバラツキによる冷却むらを防止することができる。
【００２５】
また、この開口部４２と同じ高さの位置に、レール取付部６０と縦梁仕切部５０との間をつなぐように設けた補強リブ４１が、縦梁仕切部５０の後方、及びレール取付部６０の上方に延出している。したがって、レール取付部材６０に後述するような外力が加わってもレール取付部６０の変形を小さくできる。また、レール取付部６０についても、後述するように多数のリブを設けており、レール取付部６０の変形を小さくしている。
【００２６】
図２は図１のＥ−Ｅ線の要部断面図である。貯蔵室２４内には引出し扉とともに引き出される引出容器２４ａが収納されている。すなわち、収納容器２４ａの支持具２４ｄは引出し扉に固定されており、支持具２４ｄと一体又は別体に取り付けられたローラー２４ｃが、上レール６２と下レール６３との間を摺動することによって、引出容器２４ａが冷蔵庫に対して移動可能となるように構成されている。
【００２７】
同様に、貯蔵室２５内においても、引出容器２５ａの支持具２５ｄが引出し扉に固定されており、支持具２５ｄと一体又は別体に取り付けられたローラー２５ｃが、上レール６４と下レール６５との間を摺動することによって、引出容器２５ａが冷蔵庫に対して移動可能となるように構成されている。
【００２８】
左右仕切体４０を構成するレール取付部６０の基部となる前後延伸部６１が、冷蔵庫開口部位置から背面板２８に至るまで前後に延伸しており、この前後延伸部６１は、図２に示すように下方に開口６１ａを有する略逆Ｕ字状断面の梁状として構成されている。この開口６１ａは、貯蔵室２４、２５とこの貯蔵室２４、２５の下段の貯蔵室とを同じ温度帯の貯蔵室とした場合には庫内の安定的な冷却に寄与するものであるが、この作用については後述する。また、前後延伸部６１をベースとして左右側にはレール部が備えられている。すなわち、基部６１の左右側面には引出容器側のローラー２４ｃ、２５ｃが摺動する下レール６３、６５、及びこの下レールとともにレール部を構成する上レール６２、６４を予め設定された位置で、かつ、製造上の誤差が生じないように、一体又は別体にて設けている。
【００２９】
本実施例では、下レール６３、６５は、所定の基準Ｊからの高さ寸法Ｈ３やＨ４に、製造上の誤差が生じないように、一体又は別体に形成された略Ｕ字状断面の梁状基部６１の左右側面の予め設定された位置に設けてある。このＨ３（又はＨ４）は、引出容器２４ａ（又は２５ａ）の最下面位置からローラー２４ｃ（又は２５ｃ）の最下面位置、すなわち、下レール６３との当接位置、までの距離よりも大きい寸法となるように予め定められた寸法としている。
【００３０】
既述のように、レール取付部６０の基部６１は冷蔵庫への設置状態で箱体の前後に延伸しており、また、レール取付部６０自体は略逆Ｕ字状の断面形状としているため、本実施例の冷蔵庫は、基部６１の下側に開口空間６１ａを有している。この開口空間６１ａも基部６１と同様に前後に延伸しているが、図１に示すように、基部６１から下方に延伸する多数のリブを設けている。したがって、左右仕切体４０の両側にレールを備えて引出容器を支持した場合であっても、レール面の変形を防止し、引出容器をレール面を前後に滑らかな移動を確保することができる。また、引出容器に大きな負荷が生じた場合においても強度が確保されている。また、これらのリブに加えて、前後に延伸するリブを形成してもよい。
【００３１】
また、開口６１ａは左右仕切体４０の下側に開口した空間であることから、この部分に下方の冷凍室からの冷気が侵入することになる。左右仕切体４０が設けられる貯蔵室２４、２５の下方の冷凍室を、箱体の左右幅のほぼ全域が開口した冷凍室とした場合（例えば図５に示す外観構成を有する冷蔵庫の場合における最下段の冷凍室）、この下側に開口した空間６１ａによって下側の冷凍室内における温度のバラツキを低減することができる。
【００３２】
例えば、下段の冷凍室を扉を引き出すことによって引き出される引出容器を複数段備えた場合においては、下段の冷凍室内に配置される複数段の引出容器のうち、最上段の引出容器内に収納物が載置されると、この収納物が障害物となってしまい、背面板２８に設けられる吐出口からの吐出冷気が室内に均一に行き渡ることが困難となる。この現象は、前記最上段の引出容器の後方位置に吐出口のある場合により顕著となる。
【００３３】
しかし、図２に示すように下側に開口した空間６１ａを有していることによって、たとえ下段の冷凍室に多数の収納物が載置された場合であっても、この空間を介して図２に示した矢印α、βのように左右に冷気が流れるため、下段の冷凍室内における冷気の過剰なバラツキを防止することができる。また、基部６１の上側に設けられる開口４２によっても、上段側の左右貯蔵室２４、２５間の温度のバラツキが低減されており、これらの上段側の貯蔵室２４、２５を冷却した後の冷気が下段側の貯蔵室に流れる構成とした冷蔵庫においては、これらの各貯蔵室間の温度のバラツキをさらに低減することができる。
【００３４】
また、本実施例では、レール取付部６０を略逆Ｕ字状断面の梁とし、その左右側面に引出容器側のローラーが摺動する上下レールを設けているため、従来のように左右で異なったパーツの嵌め合わせ構造ではないことから、レール取付部６０の左右側面に設けたレール支持部の関係寸法が安定する。したがって、左右２室間の扉の平行度調整が容易となり、外観意匠上も優れた冷蔵庫を提供することができる。また、レール取付部６０の梁強度を満足しながら材料費低減が図れる構造を提供できる。
【００３５】
図３は図２のＦ−Ｆ線の要部断面図である。縦梁仕切部５０の前面側には、パッキン受面５２、温熱パイプ５３、金属箔５４、押付部材５５、及び断熱材５６が収納される前面に凹んだ形状の収納部５１を備えている。この収納部５１は、庫内側に継ぎ目はなく、前面側に開口部を有する容器形状としている。最も前面側には、引出し扉２６、２７のパッキン２４ｅ、２５ｅが当接する鉄板よりなるパッキン当接面５２を有しており、扉２６、２７を閉じたときにはパッキンがこの当接面５２に吸着することによって、冷気の漏洩を防止している。また、扉２６、２７には容器支持具２４ｄが固定されており、扉２６、２７を引き出すことによって、引出容器２４ａ、２５ａがともに引き出される構成となっている。
【００３６】
鉄板５２の裏面側には、パッキン当接面５２が結露しないように、温熱パイプ５３を当接させており、この温熱パイプ５３の温熱が鉄板５２に有効に伝わるように、温熱パイプ５３の裏側には熱伝導性のよい金属箔５４を配設している。本実施例ではアルミニウム箔を使用しており、温熱パイプ５３の温熱を鉄板５２の全体に伝えるように鉄板５２の裏面のほぼ全域を覆うように備えられている。
【００３７】
また、金属箔５４を挟んで温熱パイプ５３を鉄板５２へと押し付けるために、押付部材５５を配置しており、この構成によって、温熱パイプ５３及び金属箔５４が鉄板の裏面と接触が保持され、パッキン受面５２の結露を防止している。押付部材５５としては、例えばオレフィン樹脂等の発泡材が用いられ、温熱パイプ５３よりも柔軟性のある材料としている。
【００３８】
押付部材５５の裏側には、温熱パイプ５３の温熱や、パッキン受面５２を通して伝わる外気による熱侵入を防止すべく断熱材５６を配置している。この位置に断熱材５３を配置することによって、貯蔵室２４、２５内の冷気が温熱パイプ５３近辺まで侵入して生ずる熱漏洩の低減を図っている。したがって、パッキン受面５２に対する結露防止のために圧縮機３２の回転数を上げる必要がなくなり、冷蔵庫全体からみた消費電力の低減につながるものである。
【００３９】
また、断熱材５６を左右仕切体６０を構成する縦梁仕切部５０内に配置しているため、このような場合には、縦梁仕切部５０の前方に断熱材注入口を備えることによって断熱材を注入でき、従来のように別部材とする必要がない。
【００４０】
図４は本実施例の背面板の一部を示す斜視説明図であり、レール取付部６０の後端６０ｂが取り付けられる取付部２８ｂの近傍を拡大して示している。背面板２８には、レール取付部６０の後端６０ｂを押さえる取付部２８ｂが設けられており、この取付部２８ｂを形成する上縁部を下縁部よりも庫内側に延長させて、位置ずれ防止部２８ａが形成されている。なお、取付部２８ｂの、レール取付部６０との取付代Ｈ５寸法は、レール取付部６０に加わる通常の負荷による変形や製造上の誤差を吸収するの十分な大きさに設定してある。
【００４１】
しかし、図３にて前述した引出容器２４ａ、２５ａを支持した扉２６、２７を引き出した状態で、扉２６、２７や容器２４ａ、２５ａに、例えば、人体負荷等の異常な大きさの負荷が加わったときは、レール取付部６０に生じる変形寸法が取付代Ｈ５寸法を超えるおそれがある。したがって、本実施例では、取付部２８ｂを形成する上縁部を下縁部よりも庫内側にさらにＨ６寸法だけ延長させて、位置ずれ防止部２８ａを形成することにより、異常負荷に耐えるようにする構成にしてある。
【００４２】
すなわち、扉２６、２７を引き出した状態においては、引出容器２４ａ、２５ａに上からの負荷が加わりやすく、このとき、レール取付部６０の後端６０ｂは上方へと跳ね上げられる力を受けてしまう。この負荷が大きくなると取付代Ｈ５だけでは十分でないため、さらに上縁部をＨ６寸法分庫内側に延伸させることによって、レール取付部６０の跳ね上がりを防止している。また、上縁部には大きな負荷が加わった場合であっても破損を防止するために、位置ずれ防止部２８ａ内にリブを設けて強度を確保している。
【００４３】
また、取付部２８ｂは前面側に開口した凹形状としており、レール取付部６０の後端６０ｂが嵌め込まれる構成としている。このとき、取付部２８ｂの上下寸法をレール取付部６０の後端６０ｂの上下寸法よりも若干大きい寸法とすることによって、組立時の寸法誤差を吸収することができるだけではなく、引出容器２４ａ、２５ａを引き出したときに位置ずれ防止部２８ｂとレール取付部６０の後端６０ｂとが当接することから、このときは引出容器２４ａ、２５ａの前端が若干下方に傾斜し、容器内の収納物の取り出し性について悪影響を与えない。
【００４４】
以上、上記の実施例によれば、貯蔵室を左右２室に区画する縦梁仕切部５０と、これらの貯蔵室２４、２５内に収納する引出容器側のローラーを摺動させるためのレール取付部６０とを一体に形成したので、構成部品点数の少ない、製造コスト上有利な冷蔵庫を提供できる。
【００４５】
また、縦梁仕切部５０とレール取付部６０とを一体として、レール取付部６０の上下レール以外を、左右２室の貯蔵室が連通するように開口させたので、両貯蔵室間の温度のバラツキを低減でき、また、レール取付部６０の材料費を低減できる。
【００４６】
また、縦梁仕切部５０は、鉄板よりなる扉パッキン受面５２を有し、その鉄板の裏面側に温熱パイプ５３を収納する凹部５１を備えた構成とし、この凹部５１によって構成される収納部を庫内側に継ぎ目が無い一体容器形状とした。また、この凹部５１によって構成される収納部には、温熱パイプ５３のほかに、温熱パイプ５３を鉄板に押し付ける押付部材５４と、温熱パイプ５３の熱が庫内に侵入しづらいようにした断熱材５５とを設けた。したがって、庫内冷気が温熱パイプ５３の近辺まで侵入せず、また、温熱パイプ５３までの間には断熱材５５を配設しているため、温熱パイプ５３の温熱が低減される率が小さい構成とすることができる。これによって、扉パッキン受面５２である鉄板に結露が生じ難い冷蔵庫を提供できる。
【００４７】
また、温熱パイプの温熱が低減される率が小さいので、温熱パイプ５３内に流入させる冷媒温度を必要以上に上げる必要がないため、省エネ上有利な冷蔵庫を提供できる。
【００４８】
また、レール取付部６０に外力が加わったときに、レール取付部６０の変形が小さくなるように、補強リブ４１を設けたため、変形の少ないレール構造を提供できる。
【００４９】
また、本実施例では、レール取付部６０の後端６０ｂを押さえる取付部２８ｂを、全周が内箱により押さえられている背面板２８に設け、その取付部を形成する上縁部を庫内側に延長させて、レール取付部６０の跳ね上がりを防止したので、扉を引き出した状態で、扉に加重を加えても、扉の下がり変形の少ない冷蔵庫を提供できる。
【図面の簡単な説明】
【００５０】
【図１】本発明の一実施例を示す冷蔵庫の要部の縦断面図。
【図２】図１のＥ−Ｅ線の要部断面図。
【図３】図２のＦ−Ｆ線の要部断面図。
【図４】本実施例の背面板の一部を示す斜視説明図。
【図５】従来例を示す冷蔵庫の正面図。
【図６】従来例を示す冷蔵庫の要部断面図。
【符号の説明】
【００５１】
２０…冷蔵庫、２４…貯蔵室、２４ｃ、２５ｃ…引出し容器側のローラー、２５…貯蔵室、２８…背面板、２８ａ…位置ずれ防止部、４０…左右仕切体、４１…補強リブ、４２…開口部、５０…縦梁仕切、５１…収納部、５２…パッキン受面、５３…温熱パイプ、５６…断熱材、６０…レール取付部、６２、６４…上レール、６３、６５…下レール。
【図１】
2006183899.tif 000003
【図２】
2006183899.tif 000004
【図３】
2006183899.tif 000005
【図４】
2006183899.tif 000006
【図５】
2006183899.tif 000007
【図６】
2006183899.tif 000008